(57)【特許請求の範囲】
【請求項１】
搬送されてくるシートに画像形成を行う画像形成部と、
長尺のシートが巻回されてなるシートロールから該シートを前記画像形成部に向けて繰り出す繰り出し方向と直交するシート幅方向における該シートロールの両端部に装着される一対のフランジ部材と、
装置本体内における前記画像形成部の下方且つセットする操作者の立位状態での腰の高さより低い位置に配置され、前記各フランジ部材を支持することにより前記シートロールから該シートを繰り出し可能に支持する繰出支持部を備えるとともに、シートサイズに応じて前記シート幅方向にのみ移動可能な一対のシートロール支持部と、
前記各シートロール支持部に連結し、前記フランジ部材装着済みのシートロールを一時載置する略平坦部を備えて前記装置本体の前面から突出するとともに、前記装置本体内に格納可能に設けられた突出ガイド部と、
前記突出ガイド部の前記略平坦部上の載置位置を目視可能に指示する載置位置ガイド部と、
を有し、
前記フランジ部材装着済みのシートロールは、前記前面側から前記略平坦部上の載置位置に載置されてから前記突出ガイド部に沿って移動して前記繰出支持部へセットされることを特徴とする画像形成装置。
【請求項２】
前記突出ガイド部の配置位置を表す表示マークを、前記フランジ部材装着済みのシートロールが前記各シートロール支持部にセットされた状態の該フランジ部材の高さ位置よりも上方に設けられた前記載置位置ガイド部に設けたことを特徴とする請求項１記載の画像形成装置。
【請求項３】
前記突出ガイド部は、前記フランジ部材装着済みのシートロールの該各フランジ部材を挿入可能な外開きの第１の傾斜壁を前記装置本体の前記前面側に、第１の傾斜壁の上部に外開きの第２の傾斜壁をそれぞれ備えていることを特徴とする請求項１または２記載の画
像形成装置。
【発明の詳細な説明】
【技術分野】
【０００１】
本発明は、ロール紙（シートロール）から用紙を繰り出しこれに画像形成を行う画像形成装置に関し、詳しくは、インクジェット記録、電子写真方式、印刷等による画像形成等またはそれら複数の機能の組み合わせを含んで構成される画像形成部の下方に配置され、ロール紙の用紙幅方向の両端部に装着される一対のフランジ（フランジ部材）が載置・セットされる一対のロール紙支持部（シートロール支持部）にロール紙をセットする際の視認性および操作性を向上した技術に関する。
【背景技術】
【０００２】
長尺の用紙（シート）が巻回されてなるロール紙から用紙を繰り出し画像形成部に向けて搬送して画像形成を行う画像形成装置が周知である（例えば、特許文献１〜３参照）。この種の画像形成装置としては、例えば大型の図面用の、複写機やプリンタ、プロッタ、インクジェット記録装置などが挙げられる。
前記画像形成装置に用いられるロール紙の保持方法、給紙方式に関しては、大別して、ロール紙に長い軸を通すスプール方式（タイプ）と、ロール紙の両端部にフランジを挿入・装着するフランジ方式とがある。
ロール紙をロール紙支持部にセットする場合、長尺軸をロール紙に通すスプール方式は、フランジ方式と比べそのセット・操作性に劣るとされている（この詳細な内容は後述の実施形態でも述べる）。
【０００３】
（装置に対するロール紙支持部の配置と構成について）
ロール紙は巻かれている用紙（シート）の種類や用紙幅、巻き数にもよるが、１０ｋｇを超えるものもあり、通常の流通形態で梱包されているカット用紙・枚葉紙束と比べて、一般的に重い。このように重いロール紙は、上方向からセットしたほうが作業者・操作者・使用者等（以下、代表して「操作者」という）の負担を軽減できる。このため、１ロール式の装置では、ロール紙支持部であるロール紙セット部をマシン（装置）外部に出っ張らせて配置するか、上方や前方、後方に出っ張らせることで対処し、これによりロール紙セット時の操作性や視認性を向上させている。
【０００４】
ところが、複数のロール紙をセットする多段ロール機では、複数のロール紙をセットするために上下方向に多段のロール紙セット部を積み重ねた配置となる場合が多く、下段のロール紙セット部への上方からのロール紙セット時の操作性、視認性の確保が困難となる。
この不具合の一つの解決手段として、図１７（ａ）に示すように、上下段のロール紙セット部１０５ａ，１０５ｂを装置本体の外部に配置し、且つ前後にずらし段差をつけた配置とすればよいが、この場合多段ロール機ないしは画像形成装置１００の装置全体が大型化してしまう。
【０００５】
すなわち、多段ロール機ないしは多段ロール紙セット部を備えた画像形成装置においては、マシン（装置）内部にロール紙を格納して装置全体を小型化することが望ましいが、ロール紙の上方セットと視認性確保のため、図１７（ｂ）に示すようにロール紙セット部１０５ａ，１０５ｂを外部に引き出す引き出し部構成にするか、または図１７（ｃ）に示すように筐体をなす引き出し式トレイ１０６ａ，１０６ｂを採用することで対応しているのが現状である。ただし、この場合も装置の設置面積が大きくなるとともに、引き出し部や引き出し式トレイの構造が複雑となったり、機構が大掛かりとなったりして、コストアップを招いていた。
このような観点から装置構成をコンパクトにするには、ロール紙セット部は装置に固定したほうがよいと言える。
【０００６】
（装置へのロール紙セット性について）
スプール方式はロール紙サイズによっても、スプール長さを変更する必要がなく、常に同じ位置の装置内側板間に橋渡ししてセットすればよく、また、セット位置に載置するスプールの軸の両端がロール紙両端から大きく突出しているため、視認性の点でもあまり問題とはならない。
これと比べて、フランジ方式ではロール紙両端にフランジを挿入・装着するので、ロール紙サイズに応じてロール紙セット部（具体的には載置台やフランジ受け台等を指す）位置も移動する必要がある。さらに、用紙送りが中央基準の場合、ロール紙サイズに応じて両方のフランジセット位置がずれることになり、操作者はロール紙セット部のセット位置を確認しながらロール紙をセットする必要がある。このとき、操作者の視線の角度によっては、フランジがロール紙によって隠れてしまうため、セット位置へフランジを合わせることが難しい。
【０００７】
ロール紙セット部が装置に固定され、いわゆる「フロントオペレーション」ないし「フロントローディング」とも呼ばれる装置前面（装置正面）方向から装置内部にロール紙をセットする画像形成装置において、装置正面からロール紙をセットするタイプの特許文献１および３記載のものと、装置上に一旦ロール紙を置いた後セットするタイプの特許文献２記載のもの（一時載置タイプ）とがあることは既に知られている。
特許文献３には、フランジ方式の簡単な構成で給紙時のスキューやジャム等の発生を防止する目的で、引き出されたロール紙をその紙幅に合わせて誘導するマニュアル式の方法が開示されている。
【発明の概要】
【発明が解決しようとする課題】
【０００８】
しかしながら、特許文献３記載の技術を含め、従来の画像形成装置では、特に装置本体内における画像形成部の下方で、一般的な操作者の腰の高さより低い位置にフランジ方式のロール紙セット部があるもの程、セット位置が見えづらくセットしにくいという問題があった。
これは、フランジ方式のロール紙セット部がセットすべきロール紙を下方から支持する構造となっているためであり、操作者の目視確認によってロール紙セット部へのロール紙のセットを可能に指示するロール紙セット基準、すなわち載置位置ターゲットは操作者が持っているロール紙の下側になることに起因する。
【０００９】
操作者は、腕を広げ、両手でロール紙を下方向に下げ持つ姿勢で、装置前面（正面）に歩み寄り、斜め上方から左右のセット位置を交互に目視確認しながら、ロール紙をセットしようとする。この際、ロール紙、フランジおよび操作者自身の手が邪魔となり視線を遮ってしまうので、正しい位置にセットしにくいという問題点があった。ロール紙サイズがより広幅となり、操作者の視線がより鈍角となるほど、この視認性の悪さが顕著となる。
また、ロール紙サイズが広幅となる程、ロール紙重量が増大するため、セット時に操作者の腰に負担をかけるという問題点もあった。
【００１０】
そこで、本発明は、上述した事情に鑑みてなされてものであり、特に装置本体内における画像形成部の下方且つセットする操作者の立位状態での腰の高さより低い位置に配置され、用紙（シート）サイズに応じてシート幅方向に移動可能なロール紙セット部（シートロール支持部）を備えたコンパクト且つ簡素で安価な構成の画像形成装置であって、操作者がフランジ方式のロール紙を上方からセットする場合に、重量と幅のある広幅ロール紙であっても適切な位置に容易に載置・セット可能な、視認性および操作性が向上した画像形成装置を実現し提供することを、主な目的とする。
なお、本願発明者の知る限りでは、装置本体内における画像形成部の下方且つセットする操作者の立位状態での腰の高さより低い位置に配置され、用紙（シート）サイズに応じてシート幅方向に移動可能なロール紙セット部を備えたコンパクトな構成の画像形成装置の本格的な提案はなされていない知見であることを付記しておく。
【課題を解決するための手段】
【００１１】
上述した課題を解決するとともに上述した目的を達成するために、請求項ごとの発明では、以下のような特徴ある手段・発明特定事項（以下、「構成」という）を採っている。
請求項１記載の発明は、搬送されてくるシートに画像形成を行う画像形成部と、長尺のシートが巻回されてなるシートロールから該シートを前記画像形成部に向けて繰り出す繰り出し方向と直交するシート幅方向における該シートロールの両端部に装着される一対のフランジ部材と、装置本体内における前記画像形成部の下方且つセットする操作者の立位状態での腰の高さより低い位置に配置され、前記各フランジ部材を支持することにより前記シートロールから該シートを繰り出し可能に支持する繰出支持部を備えるとともに、シートサイズに応じて前記シート幅方向にのみ移動可能な一対のシートロール支持部と、前記各シートロール支持部に連結し、前記フランジ部材装着済みのシートロールを一時載置する略平坦部を備えて前記装置本体の前面から突出するとともに、前記装置本体内に格納可能に設けられた突出ガイド部と、前記突出ガイド部の前記略平坦部上の載置位置を目視可能に指示する載置位置ガイド部と、を有し、前記フランジ部材装着済みのシートロールは、前記前面側から前記略平坦部上の載置位置に載置されてから前記突出ガイド部に沿って移動して前記繰出支持部へセットされることを特徴とする画像形成装置である。
【００１２】
請求項２記載の発明は、請求項１記載の画像形成装置において、前記突出ガイド部の配置位置を表す表示マークを、前記フランジ部材装着済みのシートロールが前記各シートロール支持部にセットされた状態の該フランジ部材の高さ位置よりも上方に設けられた前記載置位置ガイド部に設けたことを特徴とする。
【００１４】
請求項３記載の発明は、請求項１または２記載の画像形成装置において、前記突出ガイド部は、前記フランジ部材装着済みのシートロールの該各フランジ部材を挿入可能な外開きの第１の傾斜壁を前記装置本体の前記前面側に、第１の傾斜壁の上部に外開きの第２の傾斜壁をそれぞれ備えていることを特徴とする。
【発明の効果】
【００１５】
本発明によれば、前記課題を解決して新規な画像形成装置を実現し提供することができる。請求項ごとの効果を挙げれば次のとおりである。
請求項１記載の発明によれば、前記構成により、装置本体の前面から出っ張りが生じることがなく、シートロール装着性を損ねることなく装置全体をさらにコンパクトにできる。また、シートロールセット以外の操作時、例えば、操作パネルの操作、出力紙の取り出し、記録ヘッド交換、インク補充時等に操作者の邪魔にならない。
【００１６】
請求項２記載の発明によれば、突出ガイド部の配置位置を表す表示マークを、フランジ部材装着済みのシートロールが各シートロール支持部にセットされた状態の該フランジ部材の高さ位置よりも上方に設けられた載置位置ガイド部に設けたことにより、さらに視認性が向上するので、フランジ部材装着済みのシートロールの突出ガイド部への載置・セットが容易となり、さらに操作性が向上する。
【００１８】
請求項３記載の発明によれば、前記構成により、突出ガイド部は、フランジ部材装着済みのシートロールの該各フランジ部材を挿入可能な外開きの第１の傾斜壁を装置本体の前面側に、第１の傾斜壁の上部に外開きの第２の傾斜壁をそれぞれ備えていることにより、突出ガイド部が前方向、上方向へ末広がりとなり、内側から外側方向へもセットし易い形状となっているのでラフセットしても、突出ガイド部の所定の位置に収まりやすいので、シートロールセット時の視認性および操作性がより一層向上する。
【図面の簡単な説明】
【００１９】
【図１】参考例を示す画像形成装置全体の簡略的な断面図である。
【図２】図１における画像形成部、開口部、上下段のフランジ受け台の外観斜視図である。
【図３】上段ロール紙がフランジを介して上段フランジ受け台にセットされた状態を示す外観斜視図である。
【図４】フランジの外観斜視図である。
【図５】装置本体の前面から見て左側のフランジとフランジ受け台との関係を示す簡略的な斜視図である。
【図６】上段ロール紙に装着されたフランジがフランジ受け台に装着・セットされた状態において、図５における主走査方向から見た側面図である。
【図７】（ａ）は上段フランジ受け台の外観斜視図、（ｂ）は上段ロール紙に装着されたフランジがフランジ受け台に装着・セットされた状態の外観斜視図である。
【図８】（ａ）、（ｂ）は参考例の特徴部分を説明する画像形成装置の簡略的な断面図である。
【図９】（ａ）、（ｂ）は参考例の特徴部分を説明する画像形成装置の簡略的な正面図である。
【図１０】（ａ）、（ｂ）、（ｃ）は要部を破断して示す図９の平面図である。
【図１１】（ａ）は参考変形例１の特徴部分を説明する簡略的な断面図、（ｂ）は要部を破断して示す（ａ）の平面図である。
【図１２】（ａ）、（ｂ）は一部を破断して参考変形例１の特徴部分を説明する簡略的な平面図である。
【図１３】（ａ）は参考変形例２を示す画像形成装置の簡略的な正面図、（ｂ）は（ａ）の要部の拡大斜視図である。
【図１４】（ａ）、（ｂ）は第１の実施形態における要部の簡略的な断面図である。
【図１５】（ａ）参考変形例４の特徴部分を説明する平面図、（ｂ）は（ａ）の正面図である。
【図１６】参考変形例４における画像形成装置の特徴部分を説明する外観斜視図である。
【図１７】（ａ），（ｂ），（ｃ）は、従来の画像形成装置におけるロール紙セット部の配置・構成を説明する模式的な断面図である。
【発明を実施するための形態】
【００２０】
以下、図を参照して実施例を含む本発明の実施形態を詳細に説明する。各実施形態等に亘り、同一の機能および形状等を有する構成要素（部材や構成部品）等については、混同の虞がない限り一度説明した後では同一符号を付すことによりその説明を省略する。図および説明の簡明化を図るため、図に表されるべき構成要素であっても、その図において特別に説明する必要がない構成要素は適宜断わりなく省略することがある。なお、「発明を実施するための形態」欄において、第１の実施形態を「参考例」と、変形例１を「参考変形例１」と、変形例２を「参考変形例２」と、変形例３を「第１の実施形態」と、変形例４を「参考変形例４」と、それぞれ読み替えるものとする。
【００２１】
（第１の実施形態）
図１〜図１０を参照して、本発明の第１の実施形態を説明する。まず、図１および図２を参照して、第１の実施形態に係る画像形成装置全体の構成とともに要部の動作を説明する。図１に示す画像形成装置は、装置本体１の上部から下部に向けて、画像読取部２と、画像形成部３と、フランジ受け台５Ａ，５Ｂとがこの順に配置されている。
画像読取部２は、原稿（図示せず）の画像を読み取る機能・構成を、画像形成部３は、搬送されてくるシートとしての用紙１０に画像形成を行う機能・構成を有する。フランジ受け台５Ａ，５Ｂは、長尺の用紙が巻回されてなるシートロールとしてのロール紙４ａ，４ｂから用紙１０をそれぞれ繰り出し可能に支持するシートロール支持部としての機能・構成を有し、装置本体１の鉛直方向でもある上下方向Ｚに隣る上下２段に配置されている。
【００２２】
上下方向Ｚに直交する前後方向Ｘにおいて、図１における装置本体１の右側が前面１Ｆ（正面）側であり、左側が後（奥）側である。上下方向Ｚおよび前後方向Ｘに直交するとともに図１の紙面を貫通する方向が主走査方向Ｙ（図２参照）であり、シート幅方向（用紙幅方向）に相当する。
以下、図において上段に位置するフランジ受け台５Ａを「上段フランジ受け台５Ａ」と、図において下段に位置するフランジ受け台５Ｂを「フランジ受け台５Ｂ」ともいう。同様に、上段フランジ受け台５Ａにセットされるロール紙４ａを「上段ロール紙４ａ」と、フランジ受け台５Ｂにセットされるロール紙４ｂを「下段ロール紙４ｂ」ともいう。
【００２３】
画像読取部２は、装置本体１の前面から後側に向けて画像読取位置へ原稿を搬送すべく原稿をセットする原稿載置台としての原稿台１１と、画像読取位置へ原稿を搬送する原稿搬送手段としての原稿給送ローラ１２と、画像読取位置に配置され原稿の画像を読み取る画像読取手段としての密着イメージセンサ１４と、画像読み取り終了後の原稿を排出する原稿排出手段としての原稿排出ローラ１５と、排出された原稿を積載する原稿排出台１６とを有する。
【００２４】
原稿台１１上に載置された原稿（図示せず）は原稿給送ローラ１２により１枚ずつ原稿搬送路１３に給送される。原稿給送ローラ１２により給送されてきた原稿（図示せず）は原稿搬送路１３の画像読取位置に配置された密着イメージセンサ１４によりその画像が読み取られ、この画像の読み取り終了後に、原稿排出ローラ１５により原稿排出台１６に排出される。
密着イメージセンサ１４は、全体として主走査方向Ｙ（図２参照）に長い形状をしており、原稿を照明する光源およびイメージセンサを有している。密着イメージセンサ１４の上記光源で原稿搬送路１３において原稿を照明し、該原稿からの反射光をレンズアレイなどを通して上記イメージセンサ上に結像させて、光電変換を行うことにより画像信号を出力する。また、密着イメージセンサ１４の上方近傍に設けられたコンタクトガラス（図示せず）に対向して、原稿を押圧する白色基準板を兼ねる圧板１７が設けられている。
【００２５】
画像形成部３は、本実施形態例ではインクジェット記録方式で画像形成を行う構成である。図２に示すように、本インクジェット記録装置は、シリアル型インクジェット記録装置である。
画像形成部３に対応した装置本体１の内部には、ガイドロッド１８およびガイドレール１９が図示しない側板に掛け渡され、これらのガイドロッド１８およびガイドレール１９にキャリッジ２０が主走査方向Ｙに摺動可能に保持されている。キャリッジ２０には、ブラック（Ｋ）、イエロー（Ｙ）、マゼンタ（Ｍ）、シアン（Ｃ）の各色のインク滴を吐出する液体吐出ヘッドである液体記録ヘッド（図示せず）が搭載されている。各液体記録ヘッドには、図示しないが、各液体記録ヘッドにインクを供給するサブタンクが一体的に備えられている。
【００２６】
キャリッジ２０を主走査方向Ｙに移動走査する主走査機構は、主走査方向Ｙの一方側（図において左斜め上方）に配置された駆動モータ２１と、この駆動モータ２１の出力軸に連結され駆動モータ２１によって回転駆動される駆動プーリ２２と、主走査方向Ｙの他方側（図において右斜め下方）に配置された従動プーリ２３と、駆動プーリ２２と従動プーリ２３との間に巻き掛けられたベルト部材２４とを備えている。従動プーリ２３は、図示しないテンションスプリングによって外方、すなわち駆動プーリ２２から離れる方向にテンションが掛けられている。
ベルト部材２４は、キャリッジ２０背面側に設けられたベルト固定部にその一部分が固定保持されていることで、キャリッジ２０を主走査方向Ｙに牽引するようになっている。
【００２７】
キャリッジ２０の主走査方向Ｙに沿ってキャリッジ２０の主走査位置を検知するためのエンコーダシート（図示せず）が配置され、キャリッジ２０に設けられたエンコーダセンサ（図示せず）によって、上記エンコーダシートが読み取られる。このキャリッジ２０における主走査領域のうち、記録領域では上段ロール紙４ａまたは下段ロール紙４ｂから後述するように繰り出され搬送されてきた用紙１０が図示しない紙送り機構によって、キャリッジ２０の移動方向である主走査方向Ｙと直交する副走査方向（図１の前後方向Ｘのうちの前方向Ｘａである）に間欠的に搬送される。
また、主走査領域のうちの一方の端部側領域（図において右斜め下方側）には、キャリッジ２０内の各液体記録ヘッドの維持回復を行う維持回復機構２５が配置され、さらに、各液体記録ヘッドのサブタンクに供給する各色のインクを収容したメインカートリッジ２６が装置本体１に対して着脱自在に装着される。
【００２８】
図１において、画像形成部３の図中矢印で示す出口前方には排紙ガイド板（図示せず）が配設されており、該排紙ガイド板の手前には用紙１０を所定の長さに切断するシート切断手段としてのカッタ２７が配置されている。このカッタ２７は、複数のプーリ（そのうちの１つのプーリは駆動モータに連結されている）間に掛け渡されたワイヤに固定され、駆動モータによりプーリを介してワイヤが主走査方向Ｙに移動することで用紙を所定の長さに切断する公知のものからなる。
【００２９】
次に、ロール紙４ａ，４ｂおよびフランジ受け台５Ａ，５Ｂについて説明する。
図２に示すように、フランジ受け台５Ａにはフランジ部材６ａを介してロール紙４ａが、フランジ受け台５Ｂにはフランジ部材６ｂを介してロール紙４ｂがそれぞれセットされているが、幅方向のサイズや紙種（シート種類）が異なるロール紙をセット可能である。幅方向のサイズとしては、例えばＡ０やＡ１に対応した大きいサイズやその他様々なサイズが、紙種としては光沢紙等の大変高価なもの（現状価格で数万円もする）から普通紙等も用いられる。
ロール紙は、通常、長尺の用紙が、厚紙などを材料として構成された紙管等の芯管に巻き付けられて形成されている。本実施形態では、未使用時のロール紙４ａ，４ｂの最大外径として、例えば大体１８０ｍｍ程度までを用いることを想定しているが、この数値に限定されるものではない。
なお、図１を始めとして後述する図８等を含め、図面の簡明化を図るため、ロール紙４ａ，４ｂ部分を省略してフランジ部材（以下、単に「フランジ」ともいう）６ａ，６ｂを誇張して図示し、これにロール紙の符号「４ａ」、「４ｂ」を付する場合のあることを付記しておく。
【００３０】
図１および図２に示すように、装置本体１の前面１Ｆは、フランジ６ａ，６ｂを介してロール紙４ａ，４ｂを前面１Ｆ側からフランジ受け台５Ａ，５Ｂへセット可能とする、各フランジ受け台５Ａ，５Ｂに対応した複数（本実施形態例では２つ）の開口部７，８を有する。
各開口部７，８には、傾斜部７ａ，８ａが設けられている。これは、各ロール紙４ａ，４ｂのフランジ受け台５Ａ，５Ｂへのセット挿入時あるいは交換離脱時等に懸念されるロール紙４ａ，４ｂへの汚染や打痕などのダメージを防止するためである。
【００３１】
図３および図４等に示すように、上段ロール紙４ａをマシンである装置本体１へセットする際は、ガイド部材である上段ロール紙４ａ用のフランジ６ａを、上段ロール紙４ａにおける前記紙管両端の内部に挿し込み、上段ロール紙４ａの両端に固定されたフランジ６ａを上段フランジ受け台５Ａに落とし込んでセットする。同様に、下段ロール紙４ｂを装置本体１へセットする際は、下段ロール紙４ｂ用のフランジ６ｂを、下段ロール紙４ｂにおける前記紙管両端の内部に挿し込み、下段ロール紙４ｂの両端に固定されたフランジ６ｂをフランジ受け台５Ｂに落とし込んでセットする。
上記のとおり、フランジ６ａ，６ｂは、上段ロール紙４ａ（または下段ロール紙４ｂ）の前記紙管（巻き芯）の軸方向に沿って両端にそれぞれ同軸上に固定される。フランジ６ａ，６ｂの外径は、ロール紙４ａ，４ｂの最大外径（未使用時）よりも小さく形成されている。図３において、３１は、主走査方向Ｙの両端に位置する上段フランジ受け台５Ａを保持する「受け台位置決めステー」を示す。
【００３２】
図４を参照して、ロール紙給紙方式の一つであるフランジ方式の一例を説明する。フランジ６ａ，６ｂは、ロール紙の端面に突き当たる大径円盤部６ｃと、紙管内部に差し込まれる小径円筒部６ｄとから主に構成される。同図に示すフランジの例では、上段ロール紙４ａ用のフランジ６ａと下段ロール紙４ｂ用のフランジ６ｂとの差異は、例えば２インチ、３インチ等のロール紙の前記紙管の内径に対して圧着ないし嵌合固定される小径円筒部６ｄの外径などの大きさであるため、以下、上段ロール紙４ａ用のフランジ６ａを代表して詳しく説明する。当然のことながら、上・下段ロール紙用のフランジは、上記差異がある例に限定されず、例えば上段ロール紙用と下段ロール紙用とで小径円筒部の外径等の大きさが同じで共通使用されてもよいことは無論である。
フランジ６ａ，６ｂの大径円盤部６ｃは、後述する図５に示す中継コロ２８および支持コロ２９と当接して回転可能に支持される当接部６ｅと、図５に二点鎖線で示す上段ロール紙４ａの端面に突き当たる突き当て部６ｆと、後述する図４に示す被載置部６ｇとから形成されている。
ロール紙とフランジとの固定は、大径円盤部にレバー（図示せず）が備えられており、このレバーを操作することで小径円筒部から爪（図示せず）が突出し、紙管に食い込んで嵌合する構成や、小径円筒部がテーパ形状となっており、小径円筒部を紙管に強く挿し込んでテーパ部を紙管に食い込み・嵌合させるものなどが一般的に知られている。
【００３３】
ロール紙給紙方式には、一部前述したが大別して上記フランジ方式とスプール方式とがある。フランジ方式は、スプール方式と比べて、フランジ自体が軽いためその操作・作業性はよいが、一般的にその駆動機構が複雑になる。これに対し、スプール方式は、金属製のスプールもしくはマンドリルシャフト（特許文献２の段落「０００２」、図６等参照）と呼ばれる、重くて扱いにくい長尺シャフトをロール紙の紙管に差込・装着固定するため、フランジ方式と比べて、操作・作業性は悪いが、被駆動部材であるギヤ等をシャフト端部に固設できるため、駆動機構は簡単になる。
本実施形態では、ロール紙セットの操作・作業性向上が大きな目的の一つであるため、ロール紙給紙方式としてフランジ方式を採用している。
【００３４】
図５および図６を参照して、フランジ６ａ，６ｂおよびフランジ受け台５Ａ，５Ｂについて、さらに詳しく説明する。図５は、装置本体１の前面（正面）から見て左側のフランジ６ａとフランジ受け台５Ａとの関係を示す斜視図である。図６は、上段ロール紙４ａの両端部に装着されたフランジ６ａがフランジ受け台５Ａに装着・セットされた状態において、図５における主走査方向Ｙから見た側面図を示す。両図において、上段ロール紙４ａを二点鎖線で示す。
上段ロール紙４ａの両端部に装着されたフランジ６ａを上段フランジ受け台５Ａに装着・セットするときの図と、下段ロール紙４ｂの両端部に装着されたフランジ６ｂをフランジ受け台５Ｂに装着・セットするときの図とは、図３、図５および図６に示すように上下段の位置等が異なるだけで他は共通であるため、これを表すため図３では下段ロール紙４ｂ、フランジ受け台５Ｂ、フランジ６ｂの各符号に括弧を付して区別している（図５および図６のフランジ受け台５Ｂも同様）。以下、上段ロール紙４ａの両端部に装着されたフランジ６ａを上段フランジ受け台５Ａに装着・セットする場合を代表して説明する。
【００３５】
フランジ受け台５Ａは、主走査方向Ｙに延在する受け台位置決めステー３１にスライド移動可能に取り付けられている。説明が前後するが、図３のみに示すように、両端の各フランジ受け台５Ａは、受け台位置決めステー３１の裏面側に設けられたラックアンドピニオン機構（図示せず）によって、受け台位置決めステー３１に主走査方向Ｙと平行に形成された案内溝３１ａ，３１ｂに沿って主走査方向Ｙにスライド移動可能、且つ、ロール紙４ａの用紙サイズ（ロール紙４ａのサイズ）に合わせた任意の位置でロック可能に構成されている。
フランジ受け台５Ａは、ロール紙４ａから用紙が繰り出し可能に、すなわち回転可能に支持されるロール紙４ａの両端に対応し、受け台位置決めステー３１の２箇所に設けられている。また、中継コロ２８、支持コロ２９は、支持されるロール紙（図５および図６の例では上段ロール紙４ａ、以下同じ）の回転軸に垂直な同一の面内に設けられている。また、巻戻しローラ３０は、ロール紙４ａの両端に位置している２つのフランジ受け台５Ａの中継コロ２８と接触するように長尺に形成されている。
【００３６】
フランジ受け台５Ａには、支持されるロール紙の回転軸に沿う手前側の収容壁３２と、支持されるロール紙４ａの回転中心軸線に沿う手前側と反対側である外側の収容壁３３とが一体的に形成されており、収容壁３２と収容壁３３とのそれぞれに、フランジ６ａに一体的に形成された当接部６ｅの形状に対応して略半円形の切欠き部３２ａが設けられている。
図６に示すように、フランジ６ａの当接部６ｅは、中継コロ２８および支持コロ２９と当接して回転可能に支持される。テーパ部３５は、フランジ受け台５Ａに装着・セットされたロール紙４ａの回転中心軸に沿う手前側に隣接して、ロール紙４ａから用紙先端をセットする際のガイドとして機能する。
【００３７】
このように構成されたフランジ受け台５Ａは、ロール紙４ａの両端にフランジ６ａが取り付けられるのに対応し、ロール紙４ａの回転中心軸方向に沿って両端から等距離にある中心点を通り、回転軸に垂直な面を中心として略面対称になるように、さらにもう一つがロール紙４ａの他端に対応して設けられる。すなわち、フランジ受け台５Ａは、左右一対になるように設けられる。
【００３８】
フランジ受け台５Ａに装着・セットされたフランジ６ａは、フランジ受け台５Ａの中継コロ２８および支持コロ２９によって、ロール紙４ａに取り付けられたフランジ６ａが回転可能に支持されるとともに、フランジ受け台５Ａの収容壁３２、３３によって、フランジ６ａが取り付けられたロール紙４ａが回転中心軸に沿う方向、すなわち主走査方向Ｙに移動しないように拘束されている。
【００３９】
巻戻しローラ３０は、ロール紙４ａの両端に位置している２つのフランジ受け台５Ａの中継コロ２８と接触するように長尺に形成されている。巻戻しローラ３０は、図示しない駆動装置により駆動され、ロール紙４ａに用紙を巻戻すよう機能する。巻戻しローラ３０によるロール紙４ａへの用紙の巻戻しは、ロール紙４ａから用紙を繰り出し・順送りするときの撓み除去や、上段ロール紙４ａから下段ロール紙４ｂまたはこの逆のときの用紙搬送位置制御のために行われる。具体的には、巻戻しローラ３０−中継コロ２８−フランジ６ａへの摩擦接触によって、駆動装置からの駆動力が巻戻しローラ３０に伝達され、フランジ６ａを逆回転させる。すなわち、中継コロ２８は、巻戻しローラ３０からの駆動力をフランジ６ａに中継伝達するものである。
【００４０】
巻戻しローラ３０の軸部には、クラッチ機構として、図示しないワンウェイクラッチが介装されている。この巻き戻しローラ４に設けられたワンウェイクラッチは、駆動装置からの駆動力を、巻き戻し回転の際には伝達し、順送り回転の際には遮断する。
駆動装置は、例えばモータ等で構成され、ロール紙４ａからの用紙を順方向へ搬送するための駆動力を図１に示す給紙ローラ９ａ，９ｂに、またロール紙４ａに用紙を巻き戻すための駆動力を巻戻しローラ３０に与える。
【００４１】
上述のとおり、上段ロール紙４ａがフランジ６ａを介して上段フランジ受け台５Ａに載置・セットされた際には、中継コロ２８および支持コロ２９によって回転可能に、すなわち上段ロール紙４ａからの用紙が繰り出し可能となり、この際、上段ロール紙４ａの回転中心位置である中心位置４ａ１の芯出しが自動的に行われることとなる。下段ロール紙４ｂがフランジ６ｂを介してフランジ受け台５Ｂセットされた際にも、上記同様に下段ロール紙４ｂの回転中心位置である中心位置４ｂ１の芯出しが自動的に行われる。
なお、本実施形態例においては、説明の簡明化のため上段ロール紙４ａと下段ロール紙４ｂとの各紙管の内径および用紙幅が同じものを用い、これに対応してフランジ６ａ，６ｂおよび上・下段フランジ受け台５Ａ，５Ｂも同じものを用いているものとして説明する。
ロール紙には、上述したように紙種が異なるものがある他、紙管（芯管）の径が異なる複数のサイズ、例えば一般的なサイズである２インチや３インチのものがあり、その場合には上記した支持コロの配置位置や数を変えて対応できるように構成されるが、これ以上の説明は省略する。
【００４２】
図１および図２を参照して、上述した構成を有する画像形成装置全体の動作を説明する。図１および図２において、上述したように、ロール紙に対するフランジの装着・セット操作等によって、上段フランジ受け台５Ａにはフランジ６ａを介して上段ロール紙４ａが、フランジ受け台５Ｂにはフランジ６ｂを介して下段ロール紙４ｂがそれぞれセットされ、また図１に示す給紙ローラ９ａからは上段ロール紙４ａの用紙１０の先端が、給紙ローラ９ｂからは下段ロール紙４ｂの用紙１０の先端がそれぞれ給紙可能状態にセットされているものとする。
操作者によって、画像読取部２の原稿台１１に画像形成すべき原稿（図示せず）がセットされるとともに、画像読取部２近傍の装置本体１に配設された図示しない操作部のキー操作などが行われることで、各種の画像形成条件、例えば上下段のロール紙の選択や、カラー色の選択、画像形成枚数などが設定される。これらの信号が画像形成装置の制御部（図示せず）に入力されると、画像形成装置が作動する。すなわち、画像読取部２では上述した原稿画像の読み取りが行われて、密着イメージセンサ１４から画像信号が出力される。
【００４３】
そして、前記キー操作により、例えば上段ロール紙４ａが選択されたときには、前記モータの回転駆動により給紙ローラ９ａが回転されることで、フランジ受け台５Ａ上に載置されたフランジ６ａが用紙繰り出し方向に回転し、上段ロール紙４ａから用紙１０が給送される。給紙ローラ９ａから給送された用紙１０は、装置後方から前方に向けて、図示しない搬送ローラなどの搬送手段により用紙（シート）搬送路を搬送されて画像形成部３のインクジェット記録領域へ搬送される。すると、図２において、キャリッジ２０が主走査方向Ｙに移動し、用紙１０を間欠的に送りながら、液体記録ヘッドを画像情報に応じて駆動して液滴を吐出させることによって、用紙１０上に所要の画像が形成される。さらに、画像形成後の用紙１０は、前記図示しない排紙ガイド板の手前に配設されたカッタ２７が主走査方向Ｙに移動することにより、所定の長さにカットされ、装置正面側に配置される図示しない排紙トレイへ排出される。
画像情報（画像データ）としては、画像読取部２で読み取られる原稿画像によるものに限らず、画像形成装置に通信可能に接続されたパソコン等のコンピュータから送信されるものであってよいことは無論である。
【００４４】
図１〜図１０を参照して、本実施形態の特徴部分を説明する。
図１において、上述したように、上段ロール紙４ａはフランジ６ａ（図１では省略、図２等参照）を介して上段フランジ受け台５Ａに、下段ロール紙４ｂはフランジ６ｂ（図１では省略、図２等参照）を介してフランジ受け台５Ｂにそれぞれセットされ、上段ロール紙４ａと下段ロール紙４ｂとは、装置本体１の前面１Ｆ側の下端部に配置されている。装置本体１の前面１Ｆは、装置本体１の前面１Ｆから上段ロール紙４ａの交換を行うための開口部７と下段ロール紙４ｂの交換を行うための開口部８とを備えている。
【００４５】
本実施形態では、図１および図８に示すように、床面３６に設置された画像形成装置の装置本体１において、上下２段の各フランジ受け台５Ａ，５Ｂにセットされた上・下段ロール紙４ａ，４ｂの床面３６から中心位置４ａ１，４ｂ１までの高さＨａ，Ｈｂが、装置本体１内における画像形成部３の下方且つセットする操作者３４の立位状態での腰３４ｂの高さより低い位置に配置されていることを一つの特徴としている。
ここで、「操作者３４の立位状態での腰３４ｂの高さ」とは、画像形成装置を操作する標準的な操作者の腰の高さ位置を意味し、人間工学的・設計上の観点から一例を挙げれば、日本人の場合には身長が男１６８６．８ｍｍ、  女１５５７．９ｍｍで、腰の高さが男８４５．９ｍｍ、  女７６８．８ｍｍに設定される。また、外国人（例えば米国人）の場合には身長が男１７６０．４ｍｍ、  女１６２６．７ｍｍで、腰の高さが男９３４．３ｍｍ、  女８２９．９ｍｍに設定される（１９９８年度成人平均データによる）。
操作者３４が日本人の条件において、一例を挙げればＨａ＝５２０ｍｍ、Ｈｂ＝２５０ｍｍ程度に設定されるが、これに限定するものではない。
【００４６】
フランジ受け台５Ａ，５Ｂは、主として高さ位置が異なるのみで略同様の構成であるため、以下、フランジ受け台５Ａを代表して説明する。図１、図２、図６〜図８等に示すように、フランジ受け台５Ａには、フランジ６ａ装着済みのロール紙４ａの該フランジ６ａ（以下、単に「ロール紙４ａのフランジ６ａ」ともいう）を支持することによりロール紙４ａから用紙を繰り出し可能に支持する繰出支持部としての中継コロ２８および支持コロ２９と、ロール紙４ａのフランジ６ａに形成された被載置部６ｇを一時載置するための略平坦部５ｃを備えた突出ガイド部としての挿入ガイド５ａと、挿入ガイド５ａの載置位置を目視可能に指示する載置位置ガイド部としての載置位置ターゲット５ｂとが一体的に形成されている。フランジ受け台５Ａは、例えば適宜の樹脂で一体形成されている。
【００４７】
繰出支持部としての中継コロ２８および支持コロ２９は、ロール紙４ａのフランジ６ａを最終的に載置支持することにより、最終的な載置位置ターゲットとなるものである。
載置位置ガイド部としての載置位置ターゲット５ｂは、上記したように挿入ガイド５ａへのロール紙４ａのフランジ６ａの載置位置を目視可能に指示する機能があればよい。本実施形態では、図１および図８等に示すように、操作者３４が目視可能な挿入ガイド５ａの先端部がこれに相当するが、例えば矢印マークやＬＥＤ（発光ダイオード）等での点灯・点滅表示なども含まれる。
【００４８】
また、本実施形態では、図１、図２、図６〜図８等に示すように、開口部７，８は、装置本体１の前面１Ｆから各挿入ガイド５ａを突出するように設け、ロール紙４ａ，４ｂのフランジ６ａ，６ｂを前面１Ｆ側から各挿入ガイド５ａに設けられた略平坦部５ｃ上の載置位置に載置してから前記繰出支持部へセット可能としている。
【００４９】
また、本発明の必須の構成ではないが、本実施形態のように多段ロール機にあってはさらに視認性および操作性を向上すべく、図１に示すように、上下２段の各フランジ受け台５Ａ，５Ｂにセットされた上・下段ロール紙４ａ，４ｂの中心位置４ａ１，４ｂ１が、装置本体１の前後方向Ｘにオフセットし、且つ、下段ロール紙４ｂの中心位置４ｂ１が、上段ロール紙４ａの中心位置４ａ１よりも装置本体１の前面１Ｆ寄りに偏倚していることが好ましい。
換言すれば、上・下段ロール紙４ａ，４ｂをセットする上・下段フランジ受け台５Ａ，５Ｂが、装置本体１の前後方向Ｘにずらして配置されており、これと同様に、上段フランジ受け台５Ａを支持する受け台位置決めステー３１（図１では省略、図３、図５および図６等参照）の中心位置が、フランジ受け台５Ｂを支持する受け台位置決めステー（図示せず）の中心位置よりも装置本体１の後側寄りにαｍｍだけ偏倚して配置されているとも言える。
【００５０】
ここで、上段ロール紙４ａの中心位置４ａ１とは、フランジ６ａを介して上段フランジ受け台５Ａにセットされた際の、フランジ６ａの回転中心と同義であり、同様に、下段ロール紙４ｂの中心位置４ｂ１とは、フランジ６ｂを介してフランジ受け台５Ｂにセットされた際の、フランジ６ｂの回転中心と同義である。
偏倚量αｍｍは、本実施形態に対応した効果を奏するように、すなわち上・下段フランジ受け台５Ａ，５Ｂに対する上・下段ロール紙４ａ，４ｂの視認性および操作性（交換作業性）の向上、操作者３４の腰３４ｂの高さより低く抑えること、用いる上・下段ロール紙４ａ，４ｂの最大外径（未使用時）などを考慮して具体的に決める事項である。
【００５１】
次に、図８〜図１０を参照して、本実施形態のロール紙セット時の操作を含む動作について補説する。図９（ａ）、図１０（ａ）に示すように、操作者３４は腕を広げ、両方の手３４ａでロール紙４ａのフランジ６ａを下げ持つ姿勢で、装置本体１の前面（正面）１Ｆに歩み寄り、斜め上方から左右のセット位置を交互に目視確認しながら、ロール紙４ａをセットしようとする。この際例えば、先ず図９（ａ）の（１）、図１０（ｂ）の（１）に示すように装置本体１の前面１Ｆの開口部７から突出している右側の挿入ガイド５ａの先端部に位置する載置位置ターゲット５ｂを斜め上方から目視確認（太い実線矢印で示す）しつつ、右側の挿入ガイド５ａにロール紙４ａの右側のフランジ６ａを上方向から挿入・載置するとともに、右側のフランジ受け台５Ａをスライド移動させて主走査方向Ｙの位置を確定・ロックし（図９（ａ）の（２）、図１０（ｂ）の（２）参照）、次いで、図９（ａ）の（３）、図１０（ｂ）の（３）に示すように左側の載置位置ターゲット５ｂを斜め上方から目視確認（太い破線矢印で示す）しつつ、左側のフランジ受け台５Ａをスライド移動させて主走査方向Ｙの位置を確定・ロックし（図９（ａ）の（４）、図１０（ｂ）の（４）参照）、同図における左側の挿入ガイド５ａにロール紙４ａの左側のフランジ６ａを上方向から挿入・載置する（図９（ｂ）、図１０（ｂ）参照）。
【００５２】
この後、図８（ａ）、図９（ｂ）、図１０（ｂ）に示すように、操作者３４は挿入ガイド５ａに設けられた略平坦部５ｃ（図７（ａ）参照）に一旦、ロール紙４ａの各フランジ６ａを載置する状態でセットした後、図１０（ｃ）に示すように装置本体１の奥側の前記繰出支持部に矢印方向に転がして、ロール紙４ａの各フランジ６ａが前記繰出支持部（中継コロ２８、支持コロ２９）に載置・セットされるとセットが完了する。
【００５３】
上記したとおり、本実施形態では画像形成装置全体のコンパクト化を図るべく画像形成部３の下方に、シートロール支持部としてのフランジ受け台５Ａ，５Ｂを図１に示すように配置している。このようなレイアウト・配置は、従来技術の別の観点からの問題点に鑑みてなされているものである。すなわち、前述したように従来の引出し式トレイなどを用いず、単に上下方向にロール紙を配置するレイアウトとした場合、ロール紙は、一般的に、その幅が広く、重量が最大で１０ｋｇを超えるものの交換作業は容易ではない。また紙種として光沢紙を用いたロール紙などは、現状価格で数万円もするものもあり、打痕や傷を付けぬようにその交換作業は非常に気を遣う。
従来例ではシートロール支持部がマシン（装置本体）の上部に配置されている例（特にロール紙一本対応の機種に多く見られるが）もあるが、最大で１０ｋｇを超えるロール紙を自分の胸の高さ近くまで持ち上げる作業は、負荷が余りにも大きく、特に女性操作者にはとても辛い作業となることから支持されないものと思われる。
【００５４】
本実施形態によれば、上記した構成および動作により、コンパクト且つ簡素で安価な構成の図１に示した画像形成装置において、操作者３４は、重量と幅のある広幅ロール紙のセット時であっても、載置位置ターゲット５ｂ（載置位置ガイド部）を目視確認してロール紙４ａ，４ｂのフランジ６ａ，６ｂを挿入ガイド５ａ，５ａ（突出ガイド部）の略平坦部５ｃに一時載置することで前記繰出支持部（中継コロ２８、支持コロ２９）へ容易にセットすることができ、視認性および操作性向上が図れる。また、ロール紙４ａ，４ｂのフランジ６ａ，６ｂを挿入ガイド５ａ，５ａの略平坦部５ｃに一時載置できることで、重量のあるロール紙セット時でも操作者３４の腰３４ｂにかかる負担を軽減することができる。
【００５５】
（変形例１）
図１１および図１２を参照して、第１の実施形態の変形例１を説明する。本変形例は、図１〜図１０に示した第１の実施形態例と比較して、フランジ受け台５Ａ，５Ｂに代えて、図１１に示すフランジ受け台５Ａ１，５Ｂ１を用いる点のみ相違する。フランジ受け台５Ａ１，５Ｂ１は、フランジ受け台５Ａ，５Ｂと比較して、挿入ガイド５ａに代えて、ロール紙４ａ，４ｂのフランジ６ａ，６ｂを略平坦部５ｃに一時載置した状態でもその位置が確認できる長さまで装置本体１の前面１Ｆから突出させた挿入ガイド５ａ１を用いる点、および載置位置ターゲット５ｂに代えて、さらに目視可能な矢印マークを設けた載置位置ターゲット５ｂ１を用いる点のみ相違する。以下、第１の実施形態と同様に、上段ロール紙４ａおよび上段フランジ受け台５Ａ１を代表して説明する。本変形例は、上記相違点以外は第１の実施形態と同様である。
【００５６】
本変形例の場合、図１１（ａ）および図１２（ａ）に示すように、操作者３４が上段ロール紙４ａのフランジ６ａを略平坦部５ｃの奥側に置くようにすれば、挿入ガイド５ａ１の先端が載置位置ターゲット５ｂ１となる。
また、図１１（ｂ）〜図１２（ｂ）に示すように、操作者３４が上段ロール紙４ａのフランジ６ａを略平坦部５ｃの手前側に置くようにして、実際にフランジ６ａが置かれる位置が目視確認できるようにしてやれば、略平坦部５ｃの奥側が載置位置ターゲット５ｂ１となる。本変形例では、より判りやすくするため、ロール挿入ガイド５ａに矢印等を設けて、これを載置位置ターゲット５ｂ１としている。
本変形例は、第１の実施形態に適用できることは無論である。
【００５７】
（変形例２）
図１３を参照して、第１の実施形態の変形例２を説明する。本変形例は、図１〜図１０に示した第１の実施形態例と比較して、フランジ受け台５Ａ，５Ｂに代えて、図１３に示すフランジ受け台５Ａ２，５Ｂ２を用いる点のみ相違する。フランジ受け台５Ａ２，５Ｂ２は、フランジ受け台５Ａ，５Ｂと比較して、挿入ガイド５ａ，５ａ（突出ガイド部）の配置位置を表す表示マークとしての矢印を、ロール紙４ａ，４ｂのフランジ６ａ，６ｂがフランジ受け台５Ａ２，５Ｂ２にセットされた状態のフランジ６ａ，６ｂの高さ位置よりも上方に設けられた載置位置ガイド部としての載置位置ターゲット５ｂ２，５ｂ２に設けた点が相違する。本変形例は、上記相違点以外は第１の実施形態と同様である。
【００５８】
本変形例によれば、第１の実施形態よりもロール紙４ａ，４ｂのフランジ６ａ，６ｂを挿入ガイド５ａへセットする際の視認性が向上するので、挿入ガイド５ａへの載置・セットが容易となり、さらに操作性が向上する。
ロール紙を手前上方よりセットする場合、フランジの直下に載置位置ターゲットが来るようにセットする必要がある。ただし、操作者は図９に示す斜め視線となるため、載置位置ターゲットに対応するフランジの下側面はブラインド状態となり位置合わせが難しい。本変形例のように載置位置ターゲットを上にすることで、フランジ上部と載置位置ターゲットの両方を見ながら位置合わせすればよいので、セットが容易になるという利点もある。
本変形例は、第１の実施形態や変形例１に適用できることは無論である。
【００５９】
（変形例３）
図１４を参照して、第１の実施形態の変形例３を説明する。本変形例は、図１〜図１０に示した第１の実施形態例と比較して、フランジ受け台５Ａ，５Ｂに代えて、図１４に示すフランジ受け台５Ａ３，５Ｂ３を用いる点のみ相違する。フランジ受け台５Ａ３，５Ｂ３は、フランジ受け台５Ａ，５Ｂと比較して、フランジ受け台５Ａ，５Ｂに一体的に固設された挿入ガイド５ａ，５ａ（突出ガイド部）に代えて、開口部７，８からの突出量部分を装置本体１内に格納可能に構成した挿入ガイド５ａ３，５ａ３を用いる点が相違する。以下、第１の実施形態と同様に、上段ロール紙４ａおよび上段フランジ受け台５Ａ３を代表して説明する。本変形例は、上記相違点以外は第１の実施形態と同様である。
【００６０】
挿入ガイド５ａ３の構成例としては、以下のような周知の機構が挙げられる。すなわち、図１４（ａ）に示すように、操作者３４は挿入ガイド５ａ３に設けられた略平坦部５ｃ３にロール紙４ａのフランジ６ａを上方向からセットした（同図の（１）参照）後、装置本体１内のフランジ受け台５Ａ３の前記繰出支持部に転がしてセットを完了する（同図の（２）参照）。このロール紙４ａのフランジ６ａセットの直後に、図１４（ｂ）の（３）に示すように、ロール紙４ａのフランジ６ａ全体の自重で押圧されるのに連動して作動するレバーとリンクとバネを用いた機構などにより装置本体１内に格納する例が挙げられる。また、挿入ガイド５ａ３は、ヒンジなどを用いて折り畳み可能にすればよい。
本変形例は、変形例１や２にも適用できることは無論である。
【００６１】
本変形例によれば、前記構成により、装置本体１の前面１Ｆから挿入ガイド５ａ３，５ａ３の出っ張りが生じることがなく、ロール紙４ａ，４ｂの装着性を損ねることなく装置全体をさらにコンパクトにできる。
【００６２】
（変形例４）
図１５および図１６を参照して、第１の実施形態の変形例４を説明する。本変形例は、図１〜図１０に示した第１の実施形態例と比較して、フランジ受け台５Ａ，５Ｂに代えて、図１５および図１６に示すフランジ受け台５Ａ４，５Ｂ４を用いる点のみ相違する。フランジ受け台５Ａ４，５Ｂ４は、フランジ受け台５Ａ，５Ｂと比較して、図７に示した収容壁３２と収容壁３３を備えて形成された挿入ガイド５ａに代えて、ロール紙４ａ，４ｂのフランジ６ａ，６ｂ（図１５には図示せず、図７等参照）を挿入可能な外開きの傾斜角β４をなす第１の傾斜壁３３ｂを装置本体１の前面１Ｆ側に、第１の傾斜壁３３ｂの上部に外開きの傾斜角α４をなす第２の傾斜壁３３ｃをそれぞれ備えている突出ガイド部としての挿入ガイド５ａ４を用いる点が相違する。以下、第１の実施形態と同様に、上段ロール紙４ａおよび上段フランジ受け台５Ａ４を代表して説明する。本変形例は、上記相違点以外は第１の実施形態と同様である。
図１６は、変形例４を適用した画像形成装置を、装置本体１における最上面の前面１Ｆ上方手前から見たときの挿入ガイド５ａ４の形状を示している。同図を見て分かるように、挿入ガイド５ａ４の視認性が向上していることがうかがえる。
【００６３】
本変形例によれば、前記構成により、挿入ガイド５ａ４が前方向、上方向へ末広がりとなり、内側から外側方向へもロール紙のフランジをセットし易い形状となっているのでラフセットしても、挿入ガイド５ａ４の所定の位置に収まりやすいので、ロール紙セット時の視認性および操作性がより一層向上する。
本変形例は、第１の実施形態や変形例１、２、３に適用できることは無論である。
【００６４】
以上説明したとおり、本発明を特定の実施形態や変形例等について説明したが、本発明が開示する技術的範囲は、上述した実施形態や変形例等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。
例えば、図１に示した画像読取部２、画像形成部３、装置本体１の上下方向Ｚに隣る上下２段のフランジ受け台５Ａ，５Ｂ、これらの構成部品や部材は、上述したものに限らず、それらと均等な全ての公知のものに置き換えてもよい。一例を挙げると、画像形成部３は、シリアル型インクジェット記録装置に限定されず、ライン型インクジェット記録装置や電子写真方式による画像形成装置等またはそれら複数の機能を組み合わせた装置でもよい。
図１に示した画像形成装置に限らず、画像読取部２に加えて、装置本体の上部の正面側に操作部としての操作パネルを設けたものであってもよい。また、画像読取部２が配設されていない、例えば専らコンピュータ等の外部入力データやコンパクトディスク等の各種記憶媒体に記録されているデータに基づいて画像形成を行う画像形成装置であってもよい。
また、ロール紙およびこれから用紙を繰り出し可能に支持するフランジ受け台は、図１等に示したように、上下方向に隣る上下２段の構成に限らず、上下方向に３段以上の構成、すなわち装置本体の上下方向に隣る少なくとも上下２段のシートロール支持部を配置したものでもよいし、上下方向に１段のシートロール支持部を配置したものでもよい。
【符号の説明】
【００６５】
１    装置本体
１Ｆ  装置本体の前面
１Ｆａ  装置本体前面端
２    画像読取部
３    画像形成部
４ａ    上段ロール紙（上段のシートロール）
４ａ１  上段ロール紙の中心位置（上段のシートロールの中心位置）
４ｂ    下段ロール紙（下段のシートロール）
４ｂ１  下段ロール紙の中心位置（下段のシートロールの中心位置）
５Ａ、５Ａ１〜５Ａ４  上段フランジ受け台（上段のシートロール支持部）
５Ｂ、５Ｂ１〜５Ｂ４  下段フランジ受け台（下段のシートロール支持部）
５ａ、５ａ１、５ａ４    挿入ガイド（突出ガイド部）
５ｂ、５ｂ１、５ｂ２    載置位置ターゲット（載置位置ガイド部）
５ｃ    略平坦部
６ａ、６ｂ    フランジ（フランジ部材）
７      開口部
８      開口部
１０    用紙（シート）
１１    原稿台（原稿載置台）
２０    キャリッジ
２８    中継コロ（繰出支持部の構成要素）
２９    支持コロ（繰出支持部の構成要素）
３０    巻き戻しローラ
３１    受け台位置決めステー
３２      収容壁
３３      収容壁
３３ｂ  第１の傾斜壁
３３ｃ  第２の傾斜壁
３４      操作者
３４ａ    操作者の手
３４ｂ    操作者の腰
３６  床面
Ｘ      前後方向
Ｙ      主走査方向、シート幅方向
Ｚ      上下方向
【先行技術文献】
【特許文献】
【００６６】
【特許文献１】特開平１１−１３９６３２号公報
【特許文献２】特許第３４９８６２６号公報
【特許文献３】特開２００６−４４９００号公報
【図１】
0005640373.tif 000002
【図２】
0005640373.tif 000003
【図３】
0005640373.tif 000004
【図４】
0005640373.tif 000005
【図５】
0005640373.tif 000006
【図６】
0005640373.tif 000007
【図７】
0005640373.tif 000008
【図８】
0005640373.tif 000009
【図９】
0005640373.tif 000010
【図１０】
0005640373.tif 000011
【図１１】
0005640373.tif 000012
【図１２】
0005640373.tif 000013
【図１３】
0005640373.tif 000014
【図１４】
0005640373.tif 000015
【図１５】
0005640373.tif 000016
【図１６】
0005640373.tif 000017
【図１７】
0005640373.tif 000018